(57)【要約】【課題】斬新で面白みに富み、しかも光源の消灯時の目盛部の透けを抑制することが可能な照明装置を提供する。【解決手段】指針５が指示する透光性の目盛部材（目盛部）４を有する表示板３と、この表示板３の背後に配置される光源８と、目盛部材４を覆うように表示板３上に配置され光源８の消灯時には表示板３の前方側から入射する光によってその色調が視認されると共に光源８の点灯時には目盛部材４からの光を透過する半透過着色部材７と、を備えた照明装置において、半透過着色部材７が目盛部材４の一部を指針５の回転方向に沿って覆う覆い部７１を有すると共に目盛部材４の他の一部を指針５の回転方向に沿って露出するリング形に形成され、目盛部材４とは所定の間隔Ｓを空けて表示板３上に配置される。【選択図】  図３
2009128088.tif 000002
【特許請求の範囲】
【請求項１】
指針が指示する透光性の目盛部を有する表示板と、この表示板の背後に配置される光源と、前記目盛部を覆うように前記表示板上に配置され前記光源の消灯時には前記表示板の前方側から入射する光によってその色調が視認されると共に前記光源の点灯時には前記目盛部からの光を透過する半透過着色部材と、を備えた照明装置において、前記半透過着色部材が前記目盛部の一部を前記指針の回転方向に沿って覆う覆い部を有すると共に前記目盛部の他の一部を前記指針の回転方向に沿って露出するリング形に形成され、前記目盛部とは所定の間隔を空けて前記表示板上に配置されることを特徴とする照明装置。
【請求項２】
前記覆い部が表面に光拡散部を有することを特徴とする請求項１記載の照明装置。
【請求項３】
前記覆い部が表面に光透過性ミラー加工部を有することを特徴とする請求項１記載の照明装置。
【請求項４】
前記覆い部が前記指針の回転中心から遠ざかるに従って徐々に厚みを変化させてなることを特徴とする請求項１記載の照明装置。
【請求項５】
前記半透過着色部材が前記覆い部の周囲を覆う遮光部を有することを特徴とする請求項１記載の照明装置。
【発明の詳細な説明】
【技術分野】
【０００１】
本発明は、例えば車両に搭載される照明装置に関し、特に指針が指示する透光性の目盛部を有する表示板上に、光源の消灯時には前方側から入射する光によってその色調が視認されると共に光源の点灯時には目盛部からの光を透過する半透過着色部材を備えた照明装置に関する。
【背景技術】
【０００２】
この種の照明装置として、例えば特許文献１に記載されたものが知られている。この照明装置は、指針が指示する透光性の目盛部を有する表示板と、この表示板の背後に配置される光源と、目盛部を覆うように表示板上に配置され光源の消灯時には表示板の前方側から入射する光によってその色調が視認されると共に光源の点灯時には目盛部からの光を透過する半透過着色部材とを備えており、光源の消灯時には、半透過着色部材によって目盛部を見えづらくし、光源の点灯時には、目盛部からの光が半透過着色部材を透過することで発光する目盛部を視認させ、これにより光源の点消灯に応じて見栄えを異ならせたものである。
【特許文献１】特開２００４−２５７８８１号公報
【発明の開示】
【発明が解決しようとする課題】
【０００３】
しかしながら、前記特許文献１記載の照明装置は、目盛部の全体が半透過着色部材に覆われおり、光源の点消灯に応じて目盛部全体が一斉に見えないか、あるいは見えるように切り替える構成であったため、斬新性や面白みに欠けるという問題があった。また前記特許文献１記載の照明装置は、半透過着色部材が目盛部（表示板）に接する構成であったため、光源の消灯時に目盛部が透けて見えやすいという問題も有していた。
【０００４】
本発明は前述した問題点に着目し、斬新で面白みに富み、しかも光源の消灯時の目盛部の透けを抑制することが可能な照明装置の提供を目的とする。
【課題を解決するための手段】
【０００５】
本発明は、前述した課題を解決するため、指針が指示する透光性の目盛部を有する表示板と、この表示板の背後に配置される光源と、前記目盛部を覆うように前記表示板上に配置され前記光源の消灯時には前記表示板の前方側から入射する光によってその色調が視認されると共に前記光源の点灯時には前記目盛部からの光を透過する半透過着色部材と、を備えた照明装置において、前記半透過着色部材が前記目盛部の一部を前記指針の回転方向に沿って覆う覆い部を有すると共に前記目盛部の他の一部を前記指針の回転方向に沿って露出するリング形に形成され、前記目盛部とは所定の間隔を空けて前記表示板上に配置されることを特徴とする。
【０００６】
本発明は、前記覆い部が表面に光拡散部を有することを特徴とする。
【０００７】
本発明は、前記覆い部が表面に光透過性ミラー加工部を有することを特徴とする。
【０００８】
本発明は、前記覆い部が前記指針の回転中心から遠ざかるに従って徐々に厚みを変化させてなることを特徴とする。
【０００９】
本発明は、前記半透過着色部材が前記覆い部の周囲を覆う遮光部を有することを特徴とする。
【発明の効果】
【００１０】
本発明によれば、初期の目的を達成することができ、斬新で面白みに富み、しかも光源の消灯時の目盛部の透けを抑制することが可能な照明装置を提供することができる。
【発明を実施するための最良の形態】
【００１１】
以下、本発明が適用された実施の形態について添付図面を用いて説明する。
【００１２】
図１〜図３は、本発明を例えば自動車用計器からなる照明装置に適用した第１の実施形態を示すもので、図１は本実施形態による照明装置における光源消灯時の正面図、図２は本実施形態による照明装置における光源点灯時の正面図、図３は図１のＡ−Ａ断面図（ハッチングは省略）である。
【００１３】
本実施形態による照明装置は、回路基板１と、駆動装置２と、フレームＦと、表示板３と、目盛部材（目盛部）４と、指針５と、見返し板６と、半透過着色部材７とを備えている。
【００１４】
回路基板１は、例えば周知の硬質回路基板からなり、その前面側には、表示板３と、目盛部材（目盛部）４と、指針５とをそれぞれ照明する例えば発光ダイオードからなる複数の光源８が配置されている。
【００１５】
駆動装置２は、例えばステッピングモータからなり、その主要部が回路基板２の背面に位置すると共に回転軸２１が回路基板１を貫通して指針５方向に延びている。
【００１６】
フレームＦは、例えば乳白色の合成樹脂部材からなり、回路基板１の前方側にて、表示板３と目盛部材４と見返し板６の各々を支持すると共に、光源８の光を表示板３と目盛部材４と指針５にそれぞれ導く際の反射壁を構成している。
【００１７】
表示板３は、例えば周知の印刷文字板からなり、暗色の地色部３１中に、指針５の指示対象となる数字部３２が形成されている。またこの場合、数字部３２は光透過性を有しており、光源８の点灯時には、光源８からの光を受けて例えば白色にて発光する。一方、光源８の消灯時は、前方側から入射する光によって同じく白色にて視認される。
【００１８】
目盛部材４は、例えば透明な合成樹脂部材からなり、数字部３２と共に指針５の支持対象となるものである。この目盛部材４は、各目盛単位で個別に形成してもよいし、図示しない連結部を介して連結形成してもよい。また目盛部材４の表面には、例えば白色の透光性着色層４１が任意の手段により被着され、光源８の点灯時には、光源８からの光を受けて例えば白色にて発光し、光源８の消灯時には、前方側から入射する光によって同じく白色にて視認される。
【００１９】
指針５は、例えば透明な合成樹脂部材からなり、その回転中心部が駆動装置２の回転軸２１に連結されて軸回り回転する。また前記回転中心部には、指針カバー５１が形成されると共に、指針カバー５１から露出する部分の背面には、例えば青色の反射層５２が被着されており、光源８の点灯時には、光源８からの光で青色に発光し、光源８の消灯時には、前方側から入射する光によって同じく青色にて視認される。
【００２０】
見返し板６は、例えば灰色または黒色の合成樹脂部材からなり、表示板３及び目盛部材４の外周を覆っている。またこの見返し板６には、半透過着色部材７を取り付けるための段部６１が形成されている。
【００２１】
半透過着色部材７は、例えば暗色に着色された半透過性合成樹脂部材と、この半透過性合成樹脂部材と一体形成された遮光性合成樹脂部材とからなり、半透過性合成樹脂部材にて形成され目盛部材４の一部（外周部）を指針５の回転方向に沿って覆う覆い部７１と、この覆い部７１の外周を取り巻くように遮光性合成樹脂部材にて連続形成される遮光部７２と、この遮光部７２から連続して背後に延び見返し板６の段部６１に係合する係合部７３とからなり、全体が目盛部材４の他の一部（内周部）を指針５の回転方向に沿って露出するリング形に形成されている。
【００２２】
覆い部７１は、目盛部材４は所定の間隔Ｓを空けて表示板３上に配置されており、光源８の消灯時には、表示板３の前方側から入射する光によってその色調（例えば黒色または暗い灰色）が視認されると共に、光源８の点灯時には、光源８からの光を受けて発光する目盛部材４からの光を透過するように構成されている。この結果、目盛部材４は、光源８の消灯時には、覆い部７１にて覆われた領域が全く見えないか、わずかに確認できる程度に視認され（図１参照）、光源８の点灯時には、目盛部材４からの光が覆い部７１を透過することにより、覆い部７１にて覆われない領域と共に白色を有して視認される（図２参照）。
【００２３】
遮光部７２は、覆い部７１の周囲を覆うことにより、光源８の消灯時及び点灯時に覆い部７１を通して不要な箇所が視認されるのを防止する機能を有する。
【００２４】
またこの場合、間隔Ｓは、目盛部材４と覆い部７１とを離間させて両者に距離を持たせることで、光源８の消灯時に目盛部材４を見えにくくするために設定されている。
【００２５】
以上のように、本実施形態では、指針５が指示する透光性の目盛部材（目盛部）４を有する表示板３と、この表示板３の背後に配置される光源８と、目盛部材４を覆うように表示板３上に配置され光源８の消灯時には表示板３の前方側から入射する光によってその色調が視認されると共に光源８の点灯時には目盛部材４からの光を透過する半透過着色部材７と、を備えた照明装置において、半透過着色部材７が目盛部材４の一部を指針５の回転方向に沿って覆う覆い部７１を有すると共に目盛部材４の他の一部を指針５の回転方向に沿って露出するリング形に形成され、目盛部材４とは所定の間隔Ｓを空けて表示板３上に配置されることにより、光源８の点灯時と消灯時で目盛部材４の見え方を異ならせることができ、斬新で面白みに富んだ見栄えを実現できる。また目盛部材４と覆い部７１との間に間隔Ｓを介在させたことにより、光源の消灯時に目盛部材４の一部を見えにくくすることができる。
また本実施形態では、覆い部７１の周囲を遮光部７２にて覆ったことにより、光源８の消灯時及び点灯時に覆い部７１を通して不要な箇所が視認されるのを防止することができる。
【００２６】
なお目盛部は本実施形態のごとき目盛部材４に換えて、表示板３上に印刷した目盛であってもよい。また半透過着色部材７の形状は、目盛部の一部を指針５の回転方向に沿って覆うリング状であれば、一部が破断した形状であってもよい。
【００２７】
また半透過着色部材７は、予め用意された光源８または他の光源からの光で、それ自体が発光するように構成してもよい。
【００２８】
図４は、本発明の第２の実施形態を示す要部断面図であり、本実施形態では、覆い部７１を含む半透過着色部材７の表面全体にシボ加工部からなる光拡散部７４を設けたものである。
【００２９】
このように構成することにより、前記第１の実施形態と同様の効果に加え、光源８の消灯時、半透過着色部材７の表面に前方側から入射する光があたったとしても、光拡散部７４をよって拡散反射され、半透過着色部材７の表面がぎらつくことによる見栄え低下を抑制することができる。また光源８の点灯時には、目盛部材４を透過した光が光拡散部７４によって拡散透過され、これにより半透過着色部材７ごしに目盛部材４がぼやけたように拡大して視認されるため、独特の見え方を提供することができる。
【００３０】
図５は、本発明の第３の実施形態を示す要部断面図であり、本実施形態では、覆い部７１を含む半透過着色部材７の表面全体に光透過性ミラー加工部７５を設けたものである。この光透過性ミラー加工部７５は、例えば金属蒸着膜からなり、光源８の消灯時は前方側から入射する光を反射することで金属ミラー面として視認され、光源８の点灯時は、光を透過することで、目盛部材４を視認可能とするものである。
【００３１】
このように構成することにより、前記第１の実施形態と同様の効果に加え、光源８の点灯時と消灯時とで表示態様を大きく変化させることができる。
【００３２】
図６は、本発明の第４の実施形態を示す要部断面図であり、本実施形態では、覆い部７１の厚みを指針５の回転中心から遠ざかるに従って徐々に厚みが厚くなるように変化させてなるものである。
【００３３】
このように構成することにより、前記第１の実施形態と同様の効果に加え、覆い部７１ごしに目盛部材４を見た際、目盛部材４が指針５の回転中心から遠ざかるに従って徐々にフェードアウト（明るさが暗くなるように）見えため、斬新性をより強調することができる。なお覆い部７１の厚み変化の方向は任意である。
【図面の簡単な説明】
【００３４】
【図１】本発明の第１の実施形態による照明装置における光源消灯時の正面図。
【図２】同実施形態による照明装置における光源点灯時の正面図。
【図３】図１のＡ−Ａ断面図。
【図４】本発明の第２の実施形態を示す要部断面図。
【図５】本発明の第３の実施形態を示す要部断面図。
【図６】本発明の第４の実施形態を示す要部断面図。
【符号の説明】
【００３５】
１  回路基板
２  駆動装置
３  表示板
４  目盛部材（目盛部）
５  指針
６  見返し板
７  半透過着色部材
２１  回転軸
３１  地色部
３２  数字部
４１  透光性着色層
５１  指針カバー
５２  反射層
６１  段部
７１  覆い部
７２  遮光部
７３  係合部
７４  光拡散部
７５  光透過性ミラー加工部
Ｆ  フレーム
【図１】
2009128088.tif 000003
【図２】
2009128088.tif 000004
【図３】
2009128088.tif 000005
【図４】
2009128088.tif 000006
【図５】
2009128088.tif 000007
【図６】
2009128088.tif 000008